(57)【特許請求の範囲】
【請求項１】
有底筒状の容器と、当該容器に着脱自在な蓋と、当該蓋に設けられた結束バンドを挿入するためのバンド挿入口と、当該バンド挿入口に対応する前記蓋の裏側に設けられたバンド受板と、を有する結束バンド容器において、
前記バンド受板は、バンド挿入口を挟んで対峙するように複数設けられ、そして当該バンド受板間に挿入された結束バンドを拘持した状態で支持するための保持ベルトと、前記バンド受板の自由端側を前記蓋の裏側に着脱自在とするための係着部と、を有することを特徴とするバンド受板付結束バンド容器。
【発明の詳細な説明】
【技術分野】
【０００１】
本発明は、可撓性のプラスチック締付片の結束バンドを容器に納めて、携帯容器として利用しながら、容器より結束バンドを取出して電気配線、ケーブル工事において結束作業、また園芸、農作業等の結束作業の用治具に関する。
【背景技術】
【０００２】
従来、結束バンドを用いて電線、信号、通信ケーブルの配線工事、又はエアコン配管、ドレン管あるいは、園芸や農作業の様ざまな結束作業において手が入りにくい狭い部分や、格子状の所にケーブル等を巻付けて取付ける工事において反対側に手が届かない所においては、結束バンドの先端を引き出すことが困難によって工事の手間が掛かることである。
【０００３】
また、結束バンドは弾力性、あるいは滑りやすいため作業袋、衣類ポケット等に収めた状態でも、飛び出したりして落下することが多いことから不便であった。
【０００４】
この改善策として、結束バンドを効率よく利用しようとするものに、以下のようなものが公報によって知られている。 
従来には、円筒形容器の側面に結束バンドの挿入縦長孔一カ所以上設けて、容器の内周面に誘導板を設ける。あるいは半楕円体容器の着脱できる蓋に結束バンドの挿入横長孔を一カ所以上設けて、半楕円体容器の前記蓋の裏側に誘導板を設けた結束バンド容器がある。（例えば特許文献１参照） 
また、ニッパーに似た形状をしたもので、夫々ハンドル部を有する２個一対の工具本体と、該本体を相対回動可能にハサミ形に連結する枢軸と、本体の先端部に夫々設けられたバンド枢軸が利用されている。（例えば特許文献２参照） 
また、締付片代用自動銃なるもので、ケーブルのような束のまわりに、可撓性のプラスチック締付片を自動で巻きつける装置である。(例えば特許文献３参照)
【先行技術文献】
【特許文献】
【０００５】
【特許文献１】特許第４６２３４１１号広報
【特許文献２】特開平７−２４１７８１号広報
【特許文献３】特開平８−５８７１２号広報
【発明の概要】
【発明が解決しようとする課題】
【０００６】
しかしながら、従来の工具にも下記のような問題がある。
特許文献１において、結束バンドを結束バンド容器内に挿入することに時間を要する。特に数多くの結束バンドを一度に纏めて挿入することが容易でないことから作業準備の効率が悪いものである。さらに容器の形状に制約があった。
【０００７】
特許文献２、３において、携帯容器としては不向きである。
【０００８】
また、特許文献２、又は３において、配線工事、配管工事、断熱巻工事でキヤタツ等を利用して高所の工事には使いずらく、並びに狭い所では使うことが困難である。
【０００９】
そこで本発明は、上記の課題に鑑み、容器の形状によって、小さい形状で多くの結束バンドを多数納めることができる。また多数の結束バンドを容易に纏めて納めるように設けることで時間の短縮ができるものである。
さらに、結束バンド容器を衣服やバンドに付けることで携帯容器としても邪魔にならず、結束バンドが抜け落ちることもなく、使いやすくして、利用時に結束バンドを取出すとＵ字状、Ｌ字状に形成することで結束作業を効率よく、短時間にできるものである。
【課題を解決するための手段】
【００１０】
有底筒状の容器と、当該容器に着脱自在な蓋と、当該蓋に設けられた結束バンドを挿入するためのバンド挿入口と、当該バンド挿入口に対応する前記蓋の裏側に設けられたバンド受板と、を有する結束バンド容器において、
前記バンド受板は、バンド挿入口を挟んで対峙するように複数設けられ、そして当該バンド受板間に挿入された結束バンドを拘持した状態で支持するための保持ベルトと、前記バンド受板の自由端側を前記蓋の裏側に着脱自在とするための係着部と、を有することを特徴とする。
【発明の効果】
【００１１】
本発明は、以上説明したように構成されているので、以下に記載されているような
効果を奏する。
【００１２】
本発明を利用することで、長さの異なる結束バンドを纏めて容器内に納めることが
容易にできることで時間を短縮できる。
【００１３】
また、請求項より容器の形状の面を有底四角筒状の容器に形成することで、数多く
の結束バンドを納めることができる。さらに外形も小さいことから腰周りに装着しても
邪魔にならず、携帯に便利である。
【００１４】
さらに、結束バンドによる結束作業で手が回らず、指が入りずらい場所、又は網状
に他の物を巻付ける作業において、本発明の容器より取出した結束バンドはＵ字状、
Ｌ字状であることから結束バンドの先端を回すことができることで結束が即座にできる。よってケーブル配線、エアコンの配管工事、屋根裏の作業、また農作業、園芸作業
等の作業時間の短縮ができ、効率を高めることができる。
【図面の簡単な説明】
【００１５】
【図１】本発明の一実施例を示す側面図である。
【図２】本発明の結束バンド容器の上面、下面を円形状の有底筒状容器の斜視図である。
【図３】本発明の結束バンド容器を有底四角筒状の容器の斜視図である。
【図４】図１の蓋面の正面図である。
【図５】図４のＡ−Ｂにおける蓋一体の断面の側面図で、保持ベルトを設けていない図である。
【図６】円形状の有底筒状の容器における蓋一体の斜視図である。
【図７】バンド受板に保持ベルトを設けて、他のバンド受板と誘導板を拘持した状態の蓋一体の側面図である。
【図８】バンド挿入口に結束バンドを纏めて挿入する要部側面図である。
【図９】本発明の一実施例を示す図で、蓋裏側とバンド受板の端側に係着部を設けた側面図である。
【図１０】蓋裏側とバンド受板端側の係着部に面ファスナーを夫々設けて係着した状態の要部側面図である。
【図１１】蓋裏側、及びバンド受板の端側に設けた係着部の部分に磁石を設けた状態の要部側面図である。
【図１２】結束バンドを蓋一体に納めた状態を、容器内に組込む側面図である。
【図１３】結束バンドを容器内より取出し、Ｌ，Ｕ字状に形成された側面図である。
【発明を実施するための形態】
【００１６】
本発明の実施の形態について図面を参照して説明する。
【００１７】
図１、図２、図３、図４、図５、図６、図７、図８、図９、図１０、図１１及び図１２は本発
明に係るバンド受板付結束バンド容器の一実施例の図である。
図１は本発明の一実施例の全体の側面図である。図２は本発明の結束バンド容器
の上面、及び下面を円形状の有底筒状の容器の斜視図である。図３は本発明の結
束バンド容器を有底四角筒状の容器に設けた斜視図である。
図４は図２の円形蓋の正面図である。図５は蓋に結束バンドのバンドを挿入するバ
ンド挿入口の蓋裏側にバンドを受けるバンド受板とバンドを押える誘導板を設けた蓋
一体の断面の側面図である。図６は円形蓋の裏側一体のバンド受板、及び誘導板を
設けた斜視図である。
図７はバンド受板に保持ベルトを３ヶ所設けて、結束バンド、他のバンド受板、及び
誘導板を拘持した状態で支持する蓋一体の側面図である。
図８はバンド挿入口に結束バンドを数本纏めてバンド挿入口に挿入する図で、要部
側面図である。
図12は結束バンドを挿入した蓋一体を有底筒状の容器内に納める側面図である。
【００１８】
1は結束バンド一体を収納する有底筒状の容器、及び１Aは有底四角筒状の容器
（以後記載を容器とする）である。５、5Aは容器１、1Aの着脱できる蓋である。６、
6Aは蓋５、5Aに複数設けたバンド挿入口である。３は蓋６、6Aの中央側に設けたバ
ンド挿入口５、5Aの縁に沿って設けた誘導板、２は蓋６、6Aに設けたバンド挿入口５、
5Aの縁の外側に沿って設けたバンド受板である。よってバンド受板２と誘導板３は図
に示すように、バンド挿入口６、6Aの縁に沿って対向するように設ける。
またバンド受板２と誘導板３の長さは容器１、1Aの内周面に沿ってやや円周状に
納まる長さである。
図においては、バンド受板２は２列と誘導板３は１列を設けた一例である。
４はバンド挿入口６、6Aの蓋１、1Aの周縁側に設けたバンド受板２に設けた保持ベ
ルトである。保持ベルト４は数ヶ所設けることで他のバンド受板２と誘導板３、及びバ
ンド受板２と誘導板３の間に挿入した多数の結束バンド１２を拘持した状態で支持しな
がら、結束バンドのバンド部11がはみ出さず、ずれないように保持するものである。
【００１９】
８は容器1、1Aに蓋５、5Aを固定する留具で、9は係合部、よって容器１、1Aに蓋５
、5Aを被せて留具８と係合部９によって固定するものである。７は作業衣のベルトに
掛けるベルトホルダーである。10はバンド先端を示す、12は結束バンドのヘッド、11
はバンド部である。
【００２０】
容器１、1A内に納める結束バンドのバンド１１の長さは、バンド受板２の全長までの
長さまで納めることが可能である。
【００２１】
したがって、上記の構成により容器１、1Aの蓋５、5Aを外すと、図７に示すように蓋
５、5Aとバンド受板２と誘導板３に設けた保持ベルト４一体とした構造であるから、
図８に示すように結束バンドを数本纏めてバンド部11の先端よりバンド挿入口６、６Ａ
より挿入する。結束バンドを挿入にあたり、バンド部11の歯側を前記誘導板３側、背
側を前記バンド受板２側にして挿入することは、結束バンドの歯側はバンド受板２、及
び誘導板３が円形状となる内周側に向いて挿入する。よって結束バンドのバンド部11
は前記誘導板３と前記バンド受板２、あるいは前記バンド受板２ともう一方の前記バ
ンド受板２の間に沿って進む（図８のｘ、及びｙの矢印方向）、結束バンドが進むときバ
ンド部１１は前記バンド受板２からはみ出ることを前記保持ベルト４によって拘持した
状態で容器１、1Aに納まる。
【００２２】
バンド挿入口６、6Aに必要数を挿入して、前記バンド受板２と前記誘導板３を手動
によって丸み状に整えながら前記容器１、1Aに納める。
丸み状にするときも前記保持ベルト４がバンド部11をはみ出さないように保ちなが
ら容器１、1A内に押し込むように納めることで、図12に示すように容器１、1A内に納
まる。
【００２３】
また、図９は本発明の一実施例示す図で、蓋裏側と蓋裏側に設けたバンド受板の端側に係着部を設けた蓋一体
の側面図である。図10は蓋裏側とバンド受板の端側に設けた夫々の係着部に面ファ
スナーループ側と面ファスナーフック側として設けて、係着した状態の要部側面図で
ある。図11は蓋裏側、及びバンド受板の端側に設けた夫々の係着部の部分に磁石
を設けた状態の要部側面図である。図12は結束バンドを蓋一体に納めた状態を、容
器内に組込む側面図である。
【００２４】
13は外側の前記バンド受板２のバンド受板先端10の外周面に設けた係着部、14
は蓋５、5Aの裏側に設けた係着部である。13aは係着部13に面ファスナーループ側
、14aは係着部14に面ファスナーフック側として設けたものである。15は係着部１３、
及び係着部14を磁石に設けたものである。
よって、前記蓋５、5Aの裏側に係着部13、係着部14を設けることで、前記蓋５、5A
と前記バンド先端10とを着脱自在にできるように設けたものである。
【００２５】
したがって、図１0に示すように前記係着部13に面ファスナーループ側13a、前記係着部14に面ファスナーフック側14aを設けることで前記バンド受板２と前記誘導板３の間に収めたバンド部11の一体を手動で丸み状にして、その状態を維持するため、前記面ファスナーループ側13aと前記面ファスナーフック側14aを係着させ一体の丸み状を固定することで、図12に示すように前記容器１、1A内に前記蓋５内側の前記バンド受板２と前記誘導板３一体をｚの矢印方向に入れることで、容易に納めることができる。
【００２６】
なお、図１１に示すように前記係着部13、前記係着部14に夫々に磁石15を設けることで、前記蓋５と前記ベルト受板先端10を着脱自在にできるものである。
【００２７】
また、前記係着部13、前記係着部14にフック等を設けることも可能である。
【００２８】
また、容器１、1Aの蓋５、5Aを取付けた状態であってもバンド挿入口６、6Aより、結束バンドを挿入することもできるものである。
【００２９】
以上記載の如く、バンド受板２、保持ベルト４、及び係着部13、係着部14を設けることで有底筒状の容器１の形状を円柱形、四角形、及び多角形にすることが可能である。
また、容器１、1Aの底面をやや弓状、あるいは平面であっても、利用の効果は同様である。
【００３０】
なお、  本発明を利用するにあたり、蓋１、1Aに設けられたバンド受板２と誘導板３、及び保持ベルト４の組合せにより、挿入した結束バンドは強固に保持される。
よって、 容器1、1Aに納めた結束バンドは一定時間後、結束バンドヘッド12を摘まみ引き出すことで、図13に示すようにＵ字状、またはＬ字状に変形することで、結束作業において結束バンドの先端部が掴みずらい状況の作業においては、極めて効果的に結束作業ができる。
例として、狭い林立した被結束物の支持柱にケーブルを連続に結束して取付のとき、結束バンドがＵ字状、又はＬ字状であることで容易に回すことができ、結束ができる。
また、天吊等のエアコンの屋根裏配管の断熱材巻きの作業など、あるいは農作業、園芸等の狭く手先が入りにくい所においても容易に巻いてバンド先端を結束バンドヘッド12に挿入して結束ができる。
さらに、結束バンドが容器より抜け落ちず、携帯にも便利である。
【符号の説明】
【００３１】
１は有底筒状の容器 
1Aは有底四角筒状の容器 
２はバンド受板 
３は誘導板 
４は保持ベルト
５、5Aは蓋 
６、6Aはバンド挿入口
７、7Aはベルトホルダー 
８、8Aは留具 
９は係合部 
10はバンド受板先端
11はバンド部 
１２は結束バンドヘッド
１３は係着部 
14は係着部
13aは面ファスナーループ側 
１４aは面ファスナーフック側
15は磁石 
【図１】
0005716200.tif 000002
【図２】
0005716200.tif 000003
【図３】
0005716200.tif 000004
【図４】
0005716200.tif 000005
【図５】
0005716200.tif 000006
【図６】
0005716200.tif 000007
【図７】
0005716200.tif 000008
【図８】
0005716200.tif 000009
【図９】
0005716200.tif 000010
【図１０】
0005716200.tif 000011
【図１１】
0005716200.tif 000012
【図１２】
0005716200.tif 000013
【図１３】
0005716200.tif 000014